(57)【要約】【課題】天吊形の空気調和機により室内全体の快適性を向上する。【解決手段】吸込口及び吹出口を有する筺体と、前記筺体内に配置された熱交換器と、筺体外部の空気を前記吸込口より吸込み、前記熱交換器を通して前記吹出口から吹出す送風機を備えた空気調和機において、吹出口中央に第一ルーバーと第二ルーバーを支える吊り下げ板を備え、前記吊り下げ用板の左右にそれぞれ駆動用モーターを備えた前記第一ルーバー，前記第二ルーバーを備え、前記第一ルーバー，前記第二ルーバーを独立に制御できる制御装置を電気品箱内に備える。【選択図】  図２
2012167886.tif 000002
【特許請求の範囲】
【請求項１】
吸込口及び吹出口を有する筺体と、前記筺体内に配置された熱交換器と、筺体外部の空気を前記吸込口より吸込み、前記熱交換器を通して前記吹出口から吹出す送風機を備えた空気調和機において、吹出口中央に第一ルーバーと第二ルーバーを支える吊り下げ板を備え、前記吊り下げ用板の左右にそれぞれ駆動用モーターを備えた前記第一ルーバー，前記第二ルーバーを備え、前記第一ルーバー，前記第二ルーバーを独立に制御できる制御装置を電気品箱内に備えたことを特徴とする空気調和機。
【請求項２】
請求項１において、前記送風機の通常使用される回転数を使用者の任意の設定によって増加させることにより、前記吸込口と前記吹出口を通過する風量を増加させることができる機能を持つ空気調和機。
【発明の詳細な説明】
【技術分野】
【０００１】
本発明は空気調和機に関する。
【背景技術】
【０００２】
空気調和機は、吹出口にルーバーが回動可能に取付けられている。このルーバーの向きを変えることによって送風方向を調節することができるので、冷暖房運転等の運転モードに応じたルーバーの制御技術が種々提案されている。
【０００３】
通常、運転時は室内全体の温度分布を改善することが望まれる。例えば特許文献１の天井吊型の空気調和機は、軸方向が略水平に配置され吹出口の下部を開閉可能な第１のフラップと、軸方向が略水平に配置され吹出口の上部を開閉可能な第２のフラップと、冷房運転時に第１のフラップにより吹出口の下部を閉じ、第２のフラップにより吹出口の上部を開いた状態とする制御手段を備える技術が開示されている。これにより、冷房運転時における室内の温度分布を改善することができる。
【０００４】
また特許文献２の空気調和機は、吹出口の左右に設けられ、風向を上下方向に変更する左右独立のフラップと、風向を左右方向に変更する左右独立のルーバーとを備え、フラップおよびルーバーを駆動し選択されたエリアに向けて空気を吹出す技術が開示されている。これにより、簡単な操作かつ素早く快適な空間へと空調することができる。
【先行技術文献】
【特許文献】
【０００５】
【特許文献１】特開２０１０−１１２６００号公報
【特許文献２】特開２００９−１８０４６０号公報
【発明の概要】
【発明が解決しようとする課題】
【０００６】
しかし上記特許文献１のものは、室内の天井付近の空気を室内全体に循環させると同時に空気調和機下方の人に向けて直接送風することはできないという課題がある。また上記特許文献２のものは、吹出口のフラップを左右に二枚備えることにより、各々を特定のエリアに向けて送風することができるが、壁に掛ける形態のため天井と吹出口が遠く、天井付近の空気を室内全体に循環させにくいという課題がある。
【０００７】
本発明の目的は、室内全体の快適性を向上することにある。
【課題を解決するための手段】
【０００８】
上記目的を達成するため、本発明は、吸込口及び吹出口を有する筺体と、前記筺体内に配置された熱交換器と、筺体外部の空気を前記吸込口より吸込み、前記熱交換器を通して前記吹出口から吹出す送風機を備えた空気調和機において、吹出口中央に第一ルーバーと第二ルーバーを支える吊り下げ板を備え、前記吊り下げ用板の左右にそれぞれ駆動用モーターを備えた前記第一ルーバー，前記第二ルーバーを備え、前記第一ルーバー，前記第二ルーバーを独立に制御できる制御装置を電気品箱内に備えたことを特徴とする。
【発明の効果】
【０００９】
本発明によれば、室内全体の快適性を向上することができる。
【図面の簡単な説明】
【００１０】
【図１】本発明の一実施形態の空気調和機の斜視図。
【図２】本発明の一実施形態の空気調和機の断面図。
【図３】本発明の一実施形態の空気調和機の吹出口部分の正面図。
【図４】本発明の一実施形態の空気調和機の据付例。
【発明を実施するための形態】
【００１１】
以下、本発明を実施するための形態を図面に基づいて説明する。図１は、本発明の一実施形態の空気調和機を下方から見た斜視図である。図２は空気調和機を側面から見た縦断面図である。図３は空気調和機の吹出口部分の正面図であり、駆動用モーターの位置を示すため、サイドカバーを外した状態の図である。図１は運転停止している状態であり、図２及び図３は運転中の一形態を示す。
【００１２】
空気調和機は天井面に吊り棒等（図示なし）を介して筺体１００を吊下げられる、いわゆる天井吊型であり、筺体１００の上面は接触していても隙間をあけてもよい。天井の梁がむき出しになっている部屋では、梁に吊下げてもよく、天井面や梁を総称して天井と称する。筺体１００の下面の後方に吸込口７０を備え、前方に吹出口８０を備え、両側面にはサイドカバー９０を備える。吹出口８０には左右に分割された第１ルーバー１０ａと第２ルーバー１０ｂを備え、運転停止の状態では図１のように筺体１００の意匠面の一部となるように閉じられる。
【００１３】
吸込口７０から室内空気が吸込まれ、吸込口７０の上方に設けられた遠心型の送風機４０の側面から吸込まれて前方に吹出される。この空気が筺体１００内に配置された熱交換器３０を通って熱交換された後、吹出口８０に配置された風向調整用のルーバー１０ａ，１０ｂによって所定の方向に吹出される。送風機４０の回転数を使用者の任意の設定によって増加させることにより、吸込口７０と吹出口８０を通過する風量を増加させることができる。筺体１００を吸込側と吹出側とに仕切る仕切板２０を送風機４０の吹出部に備える。送風機４０は、図示しないモーターを挟んで複数個備えられる。
【００１４】
本実施例では、筺体１００の後方に電気品箱６０が備えているが、設置場所はこれに限られない。また、筺体１００の吸込側に送風機４０、吹出側に熱交換器３０を備えているが、設置場所はこれに限られない。送風機４０も遠心型でなく、細長い筒状のクロスフローファンでもよい。
【００１５】
ルーバー１０ａ，１０ｂを支持するルーバー支持部材１５を、吹出口８０の上部に備える。ルーバー支持部材１５は、吹出口８０の長手方向において２枚のルーバー１０ａ，１０ｂの間に備えられるものであれば、吹出口８０の下部に固定されていてもよい。ルーバー１０ａ，１０ｂは各々の両端に回動中心となる回転軸が備えられる。ルーバー１０ａ，１０ｂの内側の回転軸（図３では第１ルーバー１０ａの左側と第２ルーバー１０ｂの右側の回転軸）がルーバー支持部材１５に対して回動可能に支持されている。ルーバー１０ａ，１０ｂの外側の回転軸（図３では第１ルーバー１０ａの右側と第２ルーバー１０ｂの左側の回転軸）の各々にルーバー駆動用モーター１３ａ，１３ｂを備え、第１モーター１３ａで第１ルーバー１０ａを駆動し、第２モーター１３ｂで第２ルーバー１０ｂを駆動する。これらは電気品箱６０内に備えられた制御装置６１により独立に駆動が制御される。モーター１３ａ，１３ｂは吹出口８０の外部に設置されるので風の流れを邪魔しない。
【００１６】
図４は、実施例の一つとして、学校の教室に空気調和機が据え付けられている状態を想定したものである。本実施例の空気調和機は、空気を下方から吸込み前方から吹出すタイプであるため、図の部屋１４０の左側を前方、右側を後方とすると、吹出口８０を部屋１４０の前方に向けるように据え付けられる。部屋１４０の天井が高かったり床面積が広い場合は、冷房時の冷気は床にたまり易く暖房時の暖気は天井にたまり易くなり、室内の温度ムラが生じ易い。
【００１７】
本実施例の天井吊型の空気調和機は吹出口８０が天井に近く、吹出口８０も前方の一方向に向いているため、天井近くの空気を循環させ易い。天井近くの空気を循環させる点では、第１ルーバー１０ａを天井に水平にして風を吹出し（風向き１１０ａ）、天井や壁を伝って風が流れるようにすればよい。風量を任意の設定によって増加させれば部屋１４０の前方にいる人１２０ａにも送風することができる。しかし、上述したように部屋１４０が大きいと、部屋１４０の内側空間に滞留する空気も多くなるため、同時に第２ルーバー１０ｂを下方に向けて風を吹出す（風向き１１０ｂ）ことで、人１２０ｂに直接風を送ると共に室内空気を更に攪拌させることで、部屋全体の快適性を向上させることができる。
【００１８】
ルーバー１０ａ，１０ｂの角度は任意に設定すればよい。例えば図のように、第１ルーバー１０ａを天井に沿って空気が流れる向き（風向き１１０ａ）に設定し、第２ルーバー１０ｂを空気調和機の下方に向けてある一定の角度１３０でオートスイング（風向き１１０ｂ）を行うようにしてもよい。第２ルーバー１０ｂはオートスイングでなく第１ルーバー１０ａよりも下方に空気が流れる向きに固定してもよい。即ち、筺体１００が部屋１４０の端（後方）の天井に吊下げ設置され、部屋１４０の前方に空気を吹出すための第１ルーバー１０ａと、部屋１４０の下方に空気を吹出すための第２ルーバー１０ｂとを吹出口８０に左右に並べて備え、これらのルーバーを独立して制御する制御装置６１を備えるものであればよい。
【００１９】
本実施例によれば、室内の天井付近の空気を室内全体に循環させ、かつ同時に、空気調和機下方の人に向けて送風を行い、快適性の向上を達成できる空気調和機を提供できる。
【符号の説明】
【００２０】
１０ａ  ルーバー（第１ルーバー）
１０ｂ  ルーバー（第２ルーバー）
１３ａ  ルーバー駆動用モーター（第１モーター）
１３ｂ  ルーバー駆動用モーター（第２モーター）
１５  ルーバー支持部材
２０  仕切板
３０  熱交換器
４０  送風機
５０  ドレンパン
６０  電気品箱
６１  制御装置
７０  吸込口
８０  吹出口
９０  サイドカバー
１００  筺体
１１０ａ，１１０ｂ  吹出口からの風向き
１２０ａ，１２０ｂ  人
１３０  オートスイングの角度
１４０  部屋
【図１】
2012167886.tif 000003
【図２】
2012167886.tif 000004
【図３】
2012167886.tif 000005
【図４】
2012167886.tif 000006